(57)【要約】【課題】ＩＰネットワークを利用したマルチキャストによる映像配信サービスにおける品質が保証されるリソース管理システム並びに方法を提供する。【解決手段】エッジルータ１０６からの認証要求を受け付けた認証サーバ１０２では、受け付けた情報を元に認証制御部１２１が認証を行い、帯域判定要求部１２２が、ネットワークリソース判定に必要な情報（帯域判定要求情報）とともに、帯域の判定要求をリソース管理サーバ１０３に送出する。判定の要求を受け付けたリソース管理サーバ１０３では、帯域判定部１３１が、受け付けた情報と各データベースに記録されている情報とを元に配信の可能性の判定を行い、判定の結果を認証サーバ１０２に通知する。判定の結果通知を受け付けた認証サーバ１０２では、受け付けた判定結果と認証制御部１２１の認証結果とによりコンテンツ配信の可否を決定し、可否の結果をエッジルータ１０６に通知する【選択図】  図１
2005328239.tif 000002
【特許請求の範囲】
【請求項１】
配信が要求されたコンテンツの配信経路に関する経路情報をもとに、エッジルータからこのエッジルータに収容された前記コンテンツの配信先までのアクセスネットワークにおける帯域と、前記コンテンツの配信に必要な帯域とを比較し、
この比較の結果により前記エッジルータで複製された前記コンテンツの配信を制御する
ことを特徴とするリソース管理方法。
【請求項２】
請求項１記載のリソース管理方法において、
前記配信先の認証結果と前記比較の結果とにより前記エッジルータで複製された前記コンテンツの配信を制御する
ことを特徴とするリソース管理方法。
【請求項３】
配信が要求されたコンテンツの配信経路に関する経路情報をもとに、エッジルータからこのエッジルータに収容された前記コンテンツの配信先までのアクセスネットワークにおける帯域と、前記コンテンツの配信に必要な帯域とを比較する帯域判定手段と、
前記帯域判定手段による比較の結果により前記エッジルータで複製された前記コンテンツの配信を制御する配信制御手段と
を備えることを特徴とするリソース管理システム。
【請求項４】
請求項３記載のリソース管理システムにおいて、
前記配信制御手段は、前記配信先の認証結果と前記比較の結果とにより前記エッジルータで複製された前記コンテンツの配信を制御する
ことを特徴とするリソース管理システム。
【請求項５】
コンピュータに、
配信が要求されたコンテンツの配信経路に関する経路情報をもとに、エッジルータからこのエッジルータに収容された前記コンテンツの配信先までのアクセスネットワークにおける帯域と、前記コンテンツの配信に必要な帯域とを比較する機能と、
前記比較の結果により前記エッジルータで複製された前記コンテンツの配信を制御する機能と
を実現させることを特徴とするプログラム。
【請求項６】
請求項５記載のプログラムおいて、
さらに、前記配信先の認証結果と前記比較の結果とにより前記エッジルータで複製された前記コンテンツの配信を制御する機能
を備えることを特徴とするプログラム。
【請求項７】
コンピュータに、
配信が要求されたコンテンツの配信経路に関する経路情報をもとに、エッジルータからこのエッジルータに収容された前記コンテンツの配信先までのアクセスネットワークにおける帯域と、前記コンテンツの配信に必要な帯域とを比較する機能と、
前記比較の結果により前記エッジルータで複製された前記コンテンツの配信を制御する機能と
を実現させるプログラムが記録された前記コンピュータが読み取り可能な記録媒体。
【請求項８】
請求項７記載の記録媒体において、
さらに、前記配信先の認証結果と前記比較の結果とにより前記エッジルータで複製された前記コンテンツの配信を制御する機能を前記コンピュータに実現させるプログラムが記録された記録媒体。
【発明の詳細な説明】
【技術分野】
【０００１】
本発明は、ＩＰネットワークを利用したマルチキャストを用いた映像配信サービスにおける品質保証を目的としたリソース管理システム及び方法に関するものである。
【背景技術】
【０００２】
例えばインターネット通信網などのＴＣＰ／ＩＰによるネットワークでは、マルチキャストによりデータの送信を行うと、複数の宛先（配信先）を指定してデータ送信を一回行えば、宛先の端末装置が収容されているエッジルータが、宛先に応じて自動的にデータを複製する。マルチキャストは、インターネットにおける映像配信を行う場合などに適しており、回線を圧迫することなく効率よく配信することができ、ネットワークの帯域の有効利用を図ることができる。
【０００３】
このような効果を有するマルチキャスト通信におけるデータ受信者の管理を行うものとして、受信管理サーバ装置で受信要求を発出したクライアント装置に対してマルチキャストデータの受信を許可することができるか否かを判定し、許可できる場合にはルーティング制御サーバ装置に通知するものがある（特許文献１参照）。
【０００４】
また、ＩＰ網伝送トラヒックに対してサービス品質を保証することを目的として帯域管理に着目した技術も提案されている（特許文献２参照）。この技術では、まず、必要な総帯域幅が下限閾値より大きく、かつ上限閾値より小さいときには、確率的な概算に基づいて、追加の遅延に敏感なトラヒック成分を設定する要求を受け入れる信号や、追加の遅延に敏感なトラヒック成分を拒絶するようにしたものである。
この技術によれば、許容できる遅延及びジッタに関する保証が、ＩＰ網経路を形成する個々のＩＰルータに信号を直接に送る必要なしに達成される。
【０００５】
また、映像などのコンテンツをユーザが希望する品質のストリーム配信できるようにする技術もある（特許文献３参照）。これは、「コンテンツ要求機構はコンテンツの種類を表すＩＤと配信の希望時間帯と希望品質を含む希望条件を指定して送信し、コンテンツ受け付け機構は要求されるコンテンツに応じて最適な配信条件を決定し、リソース確保機構は希望条件と配信条件を基に配信に必要なリソースを確保し、コンテンツ送出機構は配信条件に応じたコンテンツを配信希望時間帯に送り出し、ストリーム配信機構は、コンテンツ送出機構から送出されるコンテンツを、リソース確保機構で予約されたリソースを使ってコンテンツ要求機構にストリーム配信する」ようにしたものである。
【０００６】
なお、出願人は、本明細書に記載した先行技術文献情報で特定される先行技術文献以外には、本発明に関連する先行技術文献を出願時までに発見するには至らなかった。
【特許文献１】特開２００２−２１７９７３号公報
【特許文献２】特開２０００−１９６６６４号公報
【特許文献３】特開２００３−１５０４８３号公報
【発明の開示】
【発明が解決しようとする課題】
【０００７】
ところで、ＩＰマルチキャストでは、顧客など利用者における端末装置よりエッジルータに対して配信要求が送信されると、配信要求を受信したエッジルータが、配信サーバより受信してある映像を配信する。前述した従来の技術によるＩＰマルチキャストでは、映像コンテンツを配信する映像配信サーバは、エッジルータに対して要求された映像を配信するため、顧客側の端末装置の状態を認識することがない。
【０００８】
従って、ＩＰマルチキャストによる配信では、顧客側の端末装置における視聴状況管理やネットワーク利用状況などが把握されることがなく、ネットワーク回線帯域やサーバ容量などの配信に必要なリソース以上の要求があった場合でも、映像が配信されてしまう。このため、高品質が要求されるコンテンツが、コンテンツが要求する高品質が満たされない状態で、顧客側の端末装置に配信され、品質の低い状態で視聴されてしまうという問題があった。
【０００９】
上述の問題を解消するために、顧客側の端末装置が接続されるアクセスネットワークなどに、予め帯域割り当てを行っておく方法もあるが、エッジルータにおける端末装置の収容数が限定されるようになり、コストの上昇を招いてしまう。
本発明は、以上のような問題点を解消するためになされたものであり、ＩＰネットワークを利用したマルチキャストによる映像配信サービスにおける品質が保証されるリソース管理システム並びに方法を提供することを目的とする。
【課題を解決するための手段】
【００１０】
本発明に係るリソース管理方法は、配信が要求されたコンテンツの配信経路に関する経路情報をもとに、エッジルータからこのエッジルータに収容されたコンテンツの配信先までのアクセスネットワークにおける帯域と、コンテンツの配信に必要な帯域とを比較し、この比較の結果によりエッジルータで複製されたコンテンツの配信を制御するようにしたものである。
【００１１】
従って、マルチキャストにより配信されるコンテンツは、コンテンツの配信に必要な帯域のアクセスネットワークに収容された配信先に配信されるようになる。
上記リソース管理方法において、配信先の認証結果と比較の結果とによりエッジルータで複製されたコンテンツの配信を制御するようにしてもよい。
【００１２】
本発明に係るリソース管理システムは、配信が要求されたコンテンツの配信経路に関する経路情報をもとに、エッジルータからこのエッジルータに収容されたコンテンツの配信先までのアクセスネットワークにおける帯域と、コンテンツの配信に必要な帯域とを比較する帯域判定手段と、帯域判定手段による比較の結果によりエッジルータで複製されたコンテンツの配信を制御する配信制御手段とを備えるようにしたものである。
上記リソース管理システムにおいて、配信制御手段は、配信先の認証結果と比較の結果とによりエッジルータで複製されたコンテンツの配信を制御するようにしてもよい。
【００１３】
本発明に係るプログラムは、コンピュータに、配信が要求されたコンテンツの配信経路に関する経路情報をもとに、エッジルータからこのエッジルータに収容されたコンテンツの配信先までのアクセスネットワークにおける帯域と、コンテンツの配信に必要な帯域とを比較する機能と、比較の結果によりエッジルータで複製されたコンテンツの配信を制御する機能とを実現させるようにしたものである。
上記プログラムおいて、さらに、配信先の認証結果と比較の結果とによりエッジルータで複製されたコンテンツの配信を制御する機能を備えるようにしてもよい。
【００１４】
本発明に係る記録媒体は、配信が要求されたコンテンツの配信経路に関する経路情報をもとに、エッジルータからこのエッジルータに収容されたコンテンツの配信先までのアクセスネットワークにおける帯域と、コンテンツの配信に必要な帯域とを比較する機能と、比較の結果によりエッジルータで複製されたコンテンツの配信を制御する機能とを、コンピュータに実現させるプログラムが記録されたコンピュータが読み取り可能な記録媒体である。この記録媒体に、配信先の認証結果と比較の結果とによりエッジルータで複製されたコンテンツの配信を制御する機能をコンピュータに実現させるプログラムが、記録されていてもよい。
【発明の効果】
【００１５】
以上説明したように、本発明によれば、マルチキャストにより配信されるコンテンツを、コンテンツの配信に必要な帯域のアクセスネットワークに収容された配信先に配信するようにしたので、ＩＰネットワークを利用したマルチキャストによる映像配信サービスにおける品質が保証されるようになるという優れた効果が得られる。
【発明を実施するための最良の形態】
【００１６】
以下、本発明の実施の形態について図を参照して説明する。
図１は、本発明の実施の形態におけるリソース管理システムの構成例を示す構成図である。図１に示すシステムは、ポータルサーバ１０１，認証サーバ１０２，リソース管理サーバ１０３，ネットワーク管理サーバ１０４，映像配信サーバ１０５，エッジルータ１０６，顧客端末１０７を備えている。各サーバは、インターネット通信網１０８に接続している。また、顧客端末１０７は、公衆回線網などのアクセスネットワークを介してエッジルータ１０６に接続し、エッジルータ１０６を介してインターネット通信網１０８に接続している。
【００１７】
ポータルサーバ１０１は、例えばサービス提供事業者に運用され、契約情報管理部１１１、顧客情報データベース１１２、コンテンツ管理部１１３、コンテンツデータベース１１４を有する。顧客情報データベース１１２は、サービス提供事業者と契約している顧客との契約に関する情報を記録している。契約情報管理部１１１は、顧客情報データベース１１２における、情報の新規登録，更新，削除などの管理を行う。コンテンツ管理部１１３は、コンテンツデータベース１１４に記録されているコンテンツ情報を管理する。ポータルサーバ１０１は、顧客端末１０７からのコンテンツ要求に対し、決済通知の返信などを行う。
【００１８】
認証サーバ１０２、リソース管理サーバ１０３、ネットワーク管理サーバ１０４は、例えば、ネットワーク事業者により運用される。認証サーバ１０２は、認証制御部１２１、帯域判定要求部１２２、映像配信判定部１２３を備える。認証制御部１２１は、エッジルータ１０６からの顧客端末１０７への接続（配信）要求に対して認証制御を行う。帯域判定要求部１２２は、接続要求がなされた顧客端末１０７が接続するネットワーク（アクセスネットワーク）における帯域の状態の判定結果をリソース管理サーバ１０３に要求する。映像配信判定部１２３は、帯域判定要求部１２２が要求した配信判定結果と、認証制御部１２１による認証結果とに基づき、エッジルータ１０６に対して映像配信許可を通知する。
【００１９】
リソース管理サーバ１０３は、帯域判定部１３１、セッション管理部１３２、利用状況管理部１３３、経路情報データベース１３４、契約情報データベース１３５、利用状況データベース１３６、課金制御部１３７を備える。ネットワーク管理サーバ１０４は、ネットワーク（ＮＷ）情報転送部１４１、ＮＷ管理部１４２を備える。
【００２０】
帯域判定部１３１は、顧客端末１０７が接続しているアクセスライン（アクセスネットワーク）における帯域の状態を判定する。セッション管理部１３２は、発生したセッションに関するセッション情報を管理する。セッション情報は、管理ＩＤ、顧客ＩＤ、エッジＩＤ、収容ポート、視聴配信サーバ、コンテンツＩＤ、使用帯域、開始時間、終了時間、管理ＩＤなどを含んでいる
【００２１】
利用状況管理部１３３は、発生したセッションにおける利用状況（ログ）を利用状況データベース１３６に記録し、また、利用状況データベース１３６に記録されている情報の管理を行う。利用状況データベース１３６は、図４に示すように、セッション情報が記録されている。また、契約された顧客による操作により、顧客端末１０７がアクセスしたサービスの使用状況が、利用者状況データベース１３６に蓄積される。
課金制御部１３７は、利用状況データベース１３６に蓄積されたデータを基に、顧客に対してネットワーク利用状況に応じた課金を行う。
【００２２】
経路情報データベース１３４は、図２に示すように、グループ帯域情報，マルチキャスト経路情報，アクセスライン帯域情報，コアライン帯域情報など、配信が要求されたコンテンツの配信経路に関する経路情報を備える。グループ帯域情報は、例えば、コンテンツ番号，マルチキャストアドレス，使用帯域などである。マルチキャスト経路情報は、コンテンツ番号，サーバアドレス、使用中経路，及びリンクなどである。アクセスライン帯域情報は、エッジ番号，エッジポート，及び対応するエッジポートの物理帯域，使用帯域などを含む。また、コアライン帯域情報は、ライン番号や各ラインの物理帯域，使用帯域などを含む。
【００２３】
契約情報データベース１３５は、図３に示すように、サービス提供事業者と契約している顧客との契約に関する情報を記録する。契約情報データベース１３５が記録する情報は、顧客情報データベース１１２に記録されている情報であり、契約情報管理部１１１から送出されて契約情報データベース１３５に記録される。
ネットワーク管理サーバ１０４において、ＮＷ管理部１４２が、ネットワークの情報を収集し、収集されたネットワークの情報は、ＮＷ情報転送部１４１が、リソース管理サーバ１０３に送信する。ネットワーク管理サーバ１０４より得られたネットワークの情報は、契約情報データベース１３５に記録される。
【００２４】
また、映像配信サーバ１０５は、配信要求を受け付け、受け付けた配信要求に対応するコンテンツを、マルチキャストにより要求元に配信する。コンテンツは、映像配信サーバ１０５よりエッジルータ１０６に配信され、エッジルータ１０６において必要数が複製され、要求元の顧客端末１０７に送出される。
【００２５】
以下、図１に示したリソース管理システムの動作例について、図５のフローチャートを用いて説明する。
まず、映像コンテンツの視聴を希望する顧客の操作により、顧客端末１０７からポータルサーバ１０１に対してコンテンツ購入要求が送信されると（ステップＳ５０１）、契約情報管理部１１１が、顧客情報データベース１１２の情報を元に顧客端末１０７を識別し、顧客端末１０７に対して決済通知を送出する（ステップＳ５０２）。
【００２６】
決済の通知を受信した顧客端末１０７は、受信した通知を表示部（図示せず）に表示して顧客に認識可能な状態とする。決済の通知を認識した顧客の操作により、顧客端末１０７から番組参加の要求がエッジルータ１０６に送出されると（ステップＳ５０３）、番組参加の要求を受信したエッジルータ１０６では、認証情報転送部１６１が、顧客ＩＤ、パスワードを含む顧客認証情報やアクセスライン情報など共に、認証の要求を認証サーバ１０２に送出する（ステップＳ５０４）。
【００２７】
エッジルータ１０６からの認証要求を受け付けた認証サーバ１０２では、受け付けた情報を元に認証制御部１２１が認証を行い、帯域判定要求部１２２が、ネットワークリソース判定に必要な情報（帯域判定要求情報）とともに、帯域の判定要求をリソース管理サーバ１０３に送出する（ステップＳ５０５）。
【００２８】
判定の要求を受け付けたリソース管理サーバ１０３では、帯域判定部１３１が、受け付けた情報と各データベースに記録されている情報とを元に配信の可能性の判定を行い、判定の結果を認証サーバ１０２に通知する（ステップＳ５０６）。判定の結果通知を受け付けた認証サーバ１０２では、受け付けた判定結果と認証制御部１２１の認証結果とによりコンテンツ配信の可否を決定し、可否の結果をエッジルータ１０６に通知する（ステップＳ５０７）。
【００２９】
可否の結果を受け付けたエッジルータ１０６では、コンテンツ配信が可の場合、映像配信制御部１６２が、顧客端末１０７に対してコンテンツを転送する（ステップＳ５０８）。以上のことにより、顧客端末１０７では、ストリーム配信された映像を受信され、顧客は、配信された映像を閲覧することになる。
【００３０】
また、エッジルータ１０６は、ステップＳ５０８のコンテンツ配信とともに、認証サーバ１０２に対して課金開始通知を送信する（ステップＳ５０９）。課金開始通知を受け付けた認証サーバ１０２は、リソース管理サーバ１０３に対して状態変更通知（開始）を送信する（ステップＳ５１０）。
【００３１】
次に、顧客の操作により顧客端末１０７より送出された番組離脱要求が、エッジルータ１０６に受け付けられると（ステップＳ５１１）、エッジルータ１０６は、まず、転送停止の処理を行い（ステップＳ５１２）、かつ、認証サーバ１０２に対して課金停止の通知をする（ステップＳ５１３）する。
課金停止の通知を受け付けた認証サーバ１０２は、リソース管理サーバ１０３に対して状態変更通知（終了）を通知する（ステップＳ５１４）。この結果、使用されていた帯域やセッションが開放される。
【００３２】
次に、上述したステップＳ５０５からステップＳ５０６にかけての、帯域判定部１３１による帯域判定動作について、図６のフローチャートを用いて説明する。
まず、帯域判定要求を受け付けると（ステップＳ６０１）、帯域判定部１３１は、契約情報データベース１３５に記録されている顧客情報を元に、帯域判定要求者が登録顧客であるか否かを判定する（ステップＳ６０２）。ここで、認証サーバ１０２からの帯域判定要求とともに、帯域判定部１３１は、帯域判定要求情報を受け付けている。受け付けた帯域判定要求情報は、顧客ＩＤ、顧客ＩＰアドレス、エッジＩＤ、顧客収容ポート番号、配信サーバアドレス、コンテンツマルチキャストアドレス、コンテンツ帯域を含んでいる。
【００３３】
ついで、帯域判定部１３１は、コンテンツ帯域がアクセスライン帯域の許容範囲内であるか否かを判定する（ステップＳ６０３）。帯域判定部１３１は、経路情報データベース１３４に記録されているアクセスライン帯域情報を元にアクセスライン帯域の許容範囲内か否かを判定する。
ついで、帯域判定部１３１は、コンテンツ帯域が、顧客端末１０７におけるＣＤＮ契約帯域の許容範囲内であるか否かを判定する（ステップＳ６０４）。帯域判定部１３１は、
契約情報データベース１３５に記録されている顧客情報を元に、上記判定を行う。
【００３４】
ついで、帯域判定部１３１は、コンテンツ帯域が、要求元の顧客端末１０７が収容されているエッジルータ１０６に、転送済みであるかどうかを判定する（ステップＳ６０５）。帯域判定部１３１は、経路情報データベース１３４に記録されているグループ帯域情報及びマルチキャスト経路情報を元に、上記判定を行う。
ついで、帯域判定部１３１は、経路情報データベース１３４に記録されているコアライン帯域情報を元に、未転送ラインの帯域が確保可能か否かを判定する（ステップＳ６０６）。なお、上記配信はマルチキャストにより行われるので、未転送ラインのみ帯域を確保し、配信がまだ行われていない場合、配信サーバエッジから顧客収容エッジまでのラインの帯域を確保する。
【００３５】
帯域判定部１３１は、上述したステップＳ６０２〜Ｓ６０６の全ての判定が可の場合、帯域判定をＯＫと決定し、決定した帯域判定結果を認証サーバ１０２に通知する（ステップＳ５０６）。この結果、判定結果がＯＫとなった顧客端末１０７に対しては、コンテンツの配信が行われるようになり、ステップＳ６０２〜Ｓ６０６のいずれかでも不可の場合、配信は行われない。またこのとき、リソース管理サーバ１０３では、セッション管理部１３２が、セッション情報を利用状況データベース１３６に記録する。
【００３６】
以上に説明したように、図１に示すリソース管理システムによれば、まず、リソース管理サーバ１０３における帯域判定部１３１で、各データベースに記録されている経路情報をもとに、エッジルータ１０６からエッジルータ１０６に収容された顧客端末１０７までのアクセスネットワークにおける帯域と、コンテンツの配信に必要な帯域とを比較し、この比較の結果によりエッジルータ１０６で複製されたコンテンツの顧客端末１０７に対する配信を制御するようにした。例えば、アクセスネットワークにおける空き帯域（物理帯域−使用帯域）が、コンテンツの配信に必要な帯域の許容範囲であればコンテンツを配信し、空き帯域が配信に必要な帯域を満たしてなければ、コンテンツを配信しないようにした。
【００３７】
加えて、帯域判定部１３１における上記帯域判定結果を基に、認証サーバ１０２の映像配信判定部１２３がコンテンツの配信を決定するようにしたので、マルチキャストによるコンテンツ配信サービスが、品質の保証された状態で行えるようになる。
なお、各サーバは、ＣＰＵと主記憶装置と外部記憶装置とネットワーク制御装置となどを備えたコンピュータであり、外部記憶装置に記録されているプログラムを主記憶装置に展開し、主記憶装置に展開された上記プログラムをＣＰＵが実行することで、前述した各動作を実現する。
【００３８】
以下、図１に示すシステムの適用例について図７を用いて説明する。図７は、ネットワークリソースの共有状況をログとして管理することができる、視聴数に応じた課金体系を説明した具体的な適用例を示したものである。また、ラインＬ１の共有ユーザ数が２０，ラインＬ２の共有ユーザ数が２０，ラインＬ３の共有ユーザ数が１０，ラインＬ４の共有ユーザ数が６，ラインＬ５の共有ユーザ数が４とする。また、ラインＬ１の１ユーザへの請求料金が５０円、ラインＬ２の１ユーザへの請求料金が５０円、ラインＬ３の１ユーザへの請求料金が１００円、ラインＬ４の１ユーザへの請求料金が１７０円、ラインＬ５の１ユーザへの請求料金が２５０円とする。
【００３９】
上述した前提において、顧客端末１０７Ａの顧客に対するコンテンツ料の請求料金は、１０００円、ネットワーク使用料は、５０＋５０＋１００＝２００円となり、合計で１２００円となる。顧客端末１０７Ｂの顧客に対するコンテンツ料の請求料金は、１０００円、ネットワーク使用料は、５０＋５０＋１７０＝２７０円となり、合計で１２７０円となる。顧客端末１０７Ｃの顧客に対するコンテンツ料の請求料金は、１０００円、ネットワーク使用料は、５０＋５０＋２５０＝３５０円となり、合計で１３５０円となる。
【００４０】
また、エッジルータ１０６Ａが共有ユーザ数１０のラインＬ３に接続しているので、顧客端末１０７Ａに対する請求料金は、１０顧客で共有するものとなる。また、エッジルータ１０６Ｂが共有ユーザ数６のラインＬ４に接続しているので、顧客端末１０７Ｂに対する請求料金は、６顧客で共有する場合となる。また、エッジルータ１０６Ｃが共有ユーザ数４のラインＬ５に接続しているので、顧客端末１０７Ｃに対する請求料金は、４顧客で共有する場合となる。
図１に示すシステムによれば、以上のような料金形態のログ収集が可能となる。また、同じコンテンツ視聴であっても、ネットワークでの共有顧客が多い方が、料金が安くなるモデルに適用できる。
【図面の簡単な説明】
【００４１】
【図１】本発明の実施の形態におけるリソース管理システムの構成例を示す構成図である。
【図２】経路情報データベース１３４の構成例を示す構成図である。
【図３】契約情報データベース１３５の構成例を示す構成図である。
【図４】利用状況データベース１３６の構成例を示す構成図である。
【図５】図１のリソース管理システムの動作例を説明するフローチャートである。
【図６】帯域判定部１３１による帯域判定動作を説明するフローチャートである。
【図７】図１のリソース管理システムの適用例について説明する説明図である。
【符号の説明】
【００４２】
１０１…ポータルサーバ、１０２…認証サーバ、１０３…リソース管理サーバ、１０４…ネットワーク管理サーバ、１０５…映像配信サーバ、１０６…エッジルータ、１０７…顧客端末、１０８…インターネット通信網、１１１…契約情報管理部、１１２…顧客情報データベース、１１３…コンテンツ管理部、１１４…コンテンツデータベース、１２１…認証制御部、１２２…帯域判定要求部、１２３…映像配信判定部、１３１…帯域判定部、１３２…セッション管理部、１３３…利用状況管理部、１３４…経路情報データベース、１３５…契約情報データベース、１３６…利用状況データベース、１３７…課金制御部、１４１…ネットワーク（ＮＷ）情報転送部、１４２…ＮＷ管理部、１６１…認証情報転送部、１６２…映像配信制御部。
【図１】
2005328239.tif 000003
【図２】
2005328239.tif 000004
【図３】
2005328239.tif 000005
【図４】
2005328239.tif 000006
【図５】
2005328239.tif 000007
【図６】
2005328239.tif 000008
【図７】
2005328239.tif 000009